(57)【特許請求の範囲】
【請求項１】
プリント基板を備えた制御盤において、
前記プリント基板に設けられ前記プリント基板の他の配線よりも狭い幅の配線と、
前記狭い幅の配線に抵抗を介して一定電流を流す電源と、
前記狭い幅の配線の電圧をある周期で検知し、所定の条件が成立した場合に異常信号を発報するための処理を行い、前記プリント基板の正規の機能を損なう前に前記狭い幅の配線の異常を検知する手段と、
を備え、
前記幅の狭い配線は、前記制御盤におけるファンの近く、または開口部の近く、あるいは高温部の近くに設けられることを特徴とする制御盤。
【発明の詳細な説明】
【０００１】
【発明の属する技術分野】
本発明はプリント基板に係り、特にプリント基板の正規機能を損なう前に、腐食やマイグレーションの進行を検知するプリント基板の構成方法に関わる。
【０００２】
【従来の技術】
従来、その種の技術としては、例えば特開平10−62476 号にあるように、劣化検出用パターンを劣化検出装置のプリント板上に大気に露出して設け、そのパターンの電圧を検出して、定格値と比較し劣化傾向を検出する方法がある。
【０００３】
また、特開平9−304461号には、電子化制御基板上のはんだ付け部位のはんだの電位を検出しその電位に基づき、制御基板の劣化度を算出する方法がある。
【０００４】
また、特開平10−73629号では、絶縁劣化の進行を連続的にモニターし、絶縁劣化状態の早期把握を可能とする方法がある。
【０００５】
さらに、特開平10−239374号には、基板上に設けられたパターン間の絶縁抵抗に基づき絶縁劣化を検出する方法がある。
【０００６】
上記における技術を用いれば、絶縁劣化や基板の劣化度を検知したり、算出したりすることが可能となる。そして、そのプリント基板の正規の機能を損なう前に、部品交換，基板交換などを事前・検知して保守を可能とすることができる。
【０００７】
【発明が解決しようとする課題】
上記従来技術を用いれば、プリント基板の保守を可能とすることができる。しかし、センサとして取り込むためのパターンが最初に腐食するとは限らず、事後保守となってしまう問題があった。そこで本発明では、このような問題を解消できる昇降設備のプリント基板を提供することを課題とする。
【０００８】
【課題を解決するための手段】
本発明は上記目的を達成するために、他の配線より幅の狭いパターンや、絶縁距離の狭いパターンをプリント基板に設けた。
【０００９】
このように構成することによって、パターンの腐食による断線やマイグレーション等によるショートなどが、他のパターンよりも確実に最初に起こるようになり、これらのパターンをセンサとして取り込むことにより、プリント基板の正規の機能を損なう前に事前・検知することを可能とする。
【００１０】
【発明の実施の形態】
図４はエレベーターの概要を示す図である。
【００１１】
同図において、昇降路１６内には、乗客１８が利用する乗かご１７と、つりあいおもり１５がある。これら乗かご１７とつりあいおもり１５は、ロープ１３によって吊るされている。また、つりあいおもり１５はそらせ車１４によって、そらして吊るされている。ここで巻上機１２によって、ロープ１３を上下に巻上げることにより、乗りかご１７を駆動する。この巻上機１２は、制御盤８からの制御信号により制御される。また異常事態が発生すると、保守センタ１１に自動発報する構成となっている。
【００１２】
図５は制御盤８の内部の構成を示す図である。
【００１３】
同図において制御盤８はＭＰＵ基板７１，Ｉ／Ｏ基板７２，主回路基板７３，自動遠隔診断装置基板７４で構成されている。ここでＭＰＵ基盤７１とＩ／Ｏ基板７２によって、エレベーターの安全装置などの入出力を行っている。またＭＰＵ基板７１と主回路基板７３によって、インバータ制御を行っている。さらに異常事態が発生すると、ＭＰＵ基板７１から自動遠隔診断装置基板７４に信号を送ることにより、自動遠隔診断装置基板７４が保守センタ１１に自動発報する構成となっている。
【００１４】
図１は本発明の要部の構成を示す図である。
【００１５】
なお、「パターン」とは、基板上の配線を意味するものとする。
【００１６】
同図においてマイコン１，パラレルポート２，電源３１，３２，抵抗４１，４２，アース５、他のパターンよりも幅の狭いパターン６１、他のパターンよりも絶縁距離の狭いパターン６２ａ，６２ｂ、さらに６１，６２ａ，６２ｂ、を設置するプリント基板７を備えている。ここでプリント基板７とは、図５で説明したＭＰＵ基板７１，Ｉ／Ｏ基盤７２，主回路基盤７３，自動遠隔診断装置基盤７４の全てにあてはまるものである。またマイコン１には、本発明による判定部のみ記載してある。この判定部とは、ある周期でマイコン１がパラレルポート２の入力電圧を検査しにいき、条件が成立した場合は、異常信号を発報する為の処理を行うものである。ここでパターン６１には、電源３１により抵抗４１を介してアース５に一定電流が流れている。通常パラレルポート２にはパターン６１の電圧が入力されている為、パラレルポート２の入力電圧は“Ｌ”レベルであるが、腐食による断線が起こると、パターン６１はアース５と接続しなくなる為に、パラレルポート２の入力電圧は“Ｈ”レベルとなり、それをセンサとしてマイコン１にある判定部によって検知する。またパターン６２ａには、電源３２により抵抗４２を介して一定電流が流れている。通常パラレルポート２は電源３２に接続されている為、パラレルポート２の入力電圧は“Ｈ”レベルであるが、マイグレーション等によるショートが起こると、パターン６２ａとパターン６２ｂが接続されることによりアース５に接続するので、パラレルポート２の入力電圧は“Ｌ”レベルとなり、それをセンサとしてマイコン１にある判定部によって検知する。これらの検知方法に関しては、ＡＤコンバータやコンパレータを用いて上記パターンの抵抗変化を検出し、前記抵抗値が所定値以上となったときに、それをセンサとしてマイコン１にある判定部によって検知する方法もある。このような構成とすることによりパターン６１，６２ａ，６２ｂは、他のどのパターンよりも先に腐食や断線が起こるので、プリント基板の正規の機能を損なう前に、事前・検知し、故障となる前に保守することが可能となる。
【００１７】
図２は本発明の図１の実施例としてパターンを設ける場所を示す図である。
【００１８】
同図において、制御盤８内にあるプリント基板７に設けるパターン６１，６２ａ，６２ｂは、ファン９の近くに設ける。またファン９の代わりに、開口部の近くにパターンを設けるのもある。
【００１９】
図３は本発明の図１の実施例としてパターンを設ける場所を示す図である。
【００２０】
同図において、制御盤８内にあるプリント基板７に設けるパターン６１，６２ａ，６２ｂは、ＩＰＭ１０などの高温部の近くに設ける。
【００２１】
図２や図３に示す場所に設置するのは、制御盤８の内部のなかでも特にパターンの腐食による断線や、マイグレーション等によるショートが起こりやすいからである。
【００２２】
上記のような構成とすることにより、新たに部品をほとんど追加することなく、プリント基板の正規の機能を損なう前に確実に事前・検知し、事故が起こる前に保守することが可能となる。このことからプリント基板に対する高い信頼性を確立することができるので、ワニスレス化等、大幅な原価低減をはかることが可能となる。
【００２３】
【発明の効果】
本発明によれば、他のどのパターンよりも先に、パターンの断線や、マイグレーション等によるショートが起こるパターンを設け、それをセンサとすることにより、プリント基板の正規の機能を損なう前に、事前・検知し、故障となる前に保守センタ等へ警報を促し保守することを可能とする。
【図面の簡単な説明】
【図１】本発明の実施例として要部の構成を示す図。
【図２】本発明の実施例としてパターンを設ける場所を示す図。
【図３】本発明の実施例としてパターンを設ける場所を示す図。
【図４】エレベータの全体の構成を示す図。
【図５】制御盤８の内部の構成を示す図。
【符号の説明】
１…マイコン、２…パラレルポート、５…アース、７…プリント基板、８…制御盤、９…ファン、１０…ＩＰＭ、１１…保守センタ、１２…巻上機、１３…ロープ、１４…そらせ車、１５…つりあいおもり、１６…昇降路、１７…乗かご、１８…乗客、３１〜３２…電源、４１〜４２…抵抗、６１，６２ａ，６２ｂ…パターン、７１…ＭＰＵ基板、７２…Ｉ／Ｏ基板、７３…主回路基板、７４…自動遠隔診断装置基板。
【図１】
0003952660.tif 000002
【図２】
0003952660.tif 000003
【図３】
0003952660.tif 000004
【図４】
0003952660.tif 000005
【図５】
0003952660.tif 000006